(57)【特許請求の範囲】
【請求項１】
複数個並置されて配電盤に組み込まれ、かつ正極、負極端子をＬ形渡りバー、平板状渡りバー、Ｕ字形渡りバーを用いて電気的に直並列に接続された電気二重層キャパシタからなる電圧ユニットと、
把持部を有し、把持部の一端に放電抵抗を介して先端に前記電気二重層キャパシタの正極、負極に接触する放電部が設けられるとともに、把持部の他端に接地線が接続された放電機構体とからなり、
前記放電部は導電性のローラ又はブラシからなるとともに、前記電気二重層キャパシタの正極、負極端子は、前記放電機構体の放電部が電気的に接触容易でかつ脱落しにくい形状部材であるＬ形渡りバー、Ｕ字形渡りバーを用いて形成され、
前記電気二重層キャパシタの正極、負極端子に前記放電機構体の放電部を接触させて電気二重層キャパシタの放電を行うことを特徴とする電気二重層キャパシタの放電装置。
【発明の詳細な説明】
【０００１】
【発明の属する技術分野】
この発明は、保守点検時の安全が確保できるようにした電気二重層キャパシタの放電装置に関するものである。
【０００２】
【従来の技術】
電力の貯蔵やピークカット等に最近、電気二重層キャパシタが使用されるようになって来た。電気二重層キャパシタは、有機溶媒系で単セル電圧が約２〜３Ｖである。このため、電気二重層キャパシタは、単セルを複数個直列に接続して、１つの容器（ユニット）に構成した後、数十ボルトから数百ボルト程度の電圧ユニットとなるように構成するようにしている。また、電力用途として大きなエネルギを必要とする場合には、前記電圧ユニットを直並列に接続して高電圧化、大容量化を図るようにしている。
【０００３】
【発明が解決しようとする課題】
図９は電気二重層キャパシタからなる電圧ユニットを配電盤形式に組み込んだときの設置例の構成説明図で、特に、この図９は電圧ユニットを２直列３並列×３段積の場合の例で、１は配電盤、２は電気二重層キャパシタからなる電圧ユニットである。図１０は電気二重層キャパシタからなる電圧ユニット２の正極、負極端子を絶縁ケーブル３で２直列３並列させたときの斜視図である。
【０００４】
上記のように電力用などに使用する電気二重層キャパシタからなる電圧ユニットは、高電圧、大容量化に伴い、その電圧ユニットを直並列に複数個接続しているため、保守点検時には、安全確保のため、電圧二重層キャパシタからなる電圧ユニット内のエネルギを放出し零電位にする必要がある。
【０００５】
特に、配電盤形式に電気二重層キャパシタからなる電圧ユニットを複数組み込んだ場合は、保守点検の作業前に安全確保のために、前記電圧ユニットの放電作業を行って、エネルギの放出を行う必要がある。このため、保守点検の作業前に全部の電気二重層キャパシタからなる電圧ユニットの放電作業を予め行い、保守員の安全の確保を講じている。しかし、この放電作業は、通常１個１個手作業にて行う手段であるため、電気二重層キャパシタからなる電圧ユニットが複数個設置される配電盤組み込みタイプでは、その作業が極めて煩雑となる問題を持っている。
【０００６】
この発明は上記の事情に鑑みてなされたもので、保守点検時の安全を確保できるようにした電気二重層キャパシタの放電装置を提供することを課題とする。
【０００７】
【課題を解決するための手段】
この発明は、上記の課題を達成するために、複数個並置されて配電盤に組み込まれ、かつ正極、負極端子をＬ形渡りバー、平板状渡りバー、Ｕ字形渡りバーを用いて電気的に直並列に接続された電気二重層キャパシタからなる電圧ユニットと、
把持部を有し、把持部の一端に放電抵抗を介して先端に前記電気二重層キャパシタの正極、負極に接触する放電部が設けられるとともに、把持部の他端に接地線が接続された放電機構体とからなり、
前記放電部は導電性のローラ又はブラシからなるとともに、前記電気二重層キャパシタの正極、負極端子は、前記放電機構体の放電部が電気的に接触容易でかつ脱落しにくい形状部材であるＬ形渡りバー、Ｕ字形渡りバーを用いて形成され、
前記電気二重層キャパシタの正極、負極端子に前記放電機構体の放電部を接触させて電気二重層キャパシタの放電を行うことを特徴とするものである。
【０００８】
第２発明は、前記放電部が、導電性のローラ又はブラシからなることを特徴とするものである。
【０００９】
第３発明は、前記電気二重層キャパシタ群の正極、負極端子は、前記放電機構体の放電部が電気的に接触容易でかつ脱落しにくい形状部材で形成されていることを特徴とするものである。
【００１０】
【発明の実施の形態】
以下この発明の実施の形態を図面に基づいて説明する。図１はこの発明の実施の第１形態を示す放電装置の概略構成図で、図１において、１１は後述する電圧ユニットに構成される導電性金具の配置間隔に合わせて形成される導電性のＥ形形状の放電機構体で、この放電機構体１１には、３つの導電突出部１２、１３、１４が形成される。導電突出部１２〜１４の先端には、放電用ローラ（放電部）１５、１６、１７が電気的に接続されて取り付けられている。導電突出部１２、１４は、放電抵抗１８、１９を介して導電突出部１３と共通接続される。この共通接続部には、導電突出部１３を軸方向に延長させた位置に接地線２０が電気的に接続される。接地線２０の一部分は、絶縁部材で被覆されて放電機構体の把持部２１として構成される。
【００１１】
上記のように構成された放電装置は、図２に示す電気二重層キャパシタからなる電圧ユニット（以下電圧ユニットと称す）の放電用に使用する。次に図２について述べる。
【００１２】
図２は、配電盤形式に組み込んだ電圧ユニットの１段分を取り出したものである。図２において、電圧ユニット２２ａ〜２２ｆは、２直列３並列となるように配置される。このように配置された電圧ユニット２２ａ、２２ｃ、２２ｅの正極端子には、前述した放電機構体の放電用ローラ１５が接触する、長尺の正極用Ｌ形からなる第１導電性金具（Ｌ形渡りバー）２３が電気的に接続されて設けられている。
【００１３】
また、電圧ユニット２２ｂ、２２ｄ、２２ｆの負極端子にも、前述した放電機構体の放電用ローラ１７が接触する、長尺の負極用Ｌ形からなる第２導電性金具（Ｌ形渡りバー）２４が電気的に接続され、かつ第１導電性金具２３とは平行配置されるように設けられている。
【００１４】
さらに、電圧ユニット２２ａ、２２ｃ、２２ｅの各負極端子と、電圧ユニット２２ｂ、２２ｄ、２２ｆの各正極端子間には、平板状の第３導電性金具（渡りバー）２５ａ、２５ｂ、２５ｃが設けられ、これらにより、両端子間は電気的に接続されている。平板状の渡りバー２５ａ、２５ｂ、２５ｃの略中央部の上面には、前述した放電機構体の放電用ローラ１６が接触する、短尺のＬ形金具から構成される第４導電性金具（ガイド体）２６ａ、２６ｂ、２６ｃを電気的な接触を保って固着するとともに、渡りバー２５ａ、２５ｂ、２５ｃとは直交となるように配置される。なお、正極用、負極用Ｌ形渡りバー２３、２４およびガイド体２６ａ〜２６ｃは、それぞれ平行配置されるとともに、正極用、負極用Ｌ形渡りバー２３、２４およびガイド体２６ａ〜２６ｃのＬ形の向きは、同一方向に向くように配置される。
【００１５】
図３から図６は、図２における電圧ユニットを図示省略して正極用、負極用Ｌ形渡りバー及びガイド体の配置のみを示す斜視図で、図２は、負極用Ｌ形渡りバー２４の向きを正極用Ｌ形渡りバー２３と向き合うように配置構成したものである。このようにＬ形渡りバー２３、２４を配置すると、前述した放電機構体の放電用ローラ１５、１７がＬ形渡りバー２３、２４の垂直壁に当接しながら移動するので、ローラが脱落しにくくなり、放電操作が容易になる。
【００１６】
図４は、図３の配置構成をさらに改良して、ガイド体２６ａ、２６ｃの向きを正極用Ｌ形渡りバー２３と向き合うように配置したものである。この配置構成の場合も上記と同様な作用効果が得られる。
【００１７】
図５は、図３に示す配置構成の正極用Ｌ形渡りバー２３の向きを負極用Ｌ形渡りバー２４と同じ向きに配置構成したものである。この場合も上記と同様な作用効果が得られる。
【００１８】
図６は、上記各正極用、負極用Ｌ形渡りバー及びガイド体を、それぞれＵ字形の溝部材から構成したもので、このようにＵ字形の溝部材から各渡りバー３２、３４及びガイド体３６ａ〜３６ｃを構成することにより、前述した放電機構体の各放電用ローラが各渡りバー３２、３４及びガイド体３６ａ〜３６ｃ内を走行するために、放電用ローラの脱落防止がより確実にできるようになり、より放電操作が容易になる。
【００１９】
上述した正極用、負極用渡りバー及びガイド体は水平方向に配置構成する場合について述べて来たが、電圧ユニットを縦に積み垂直方向に渡りバー及びガイド体を配置構成しても良い。
【００２０】
図７は、この発明の実施の第２形態を示す放電装置の概略構成図で、図１に示す第１形態と同一部分には同一符号を付して示す。図７において、第２形態は、放電機構体の導電突出部１２、１３、１４と放電抵抗１８、１９をＥ形形状の枠体３８で被覆して、感電防止等の安全性を向上させたものである。なお、前記放電用ローラ１５〜１７の材質としては、導電性プラスチック、導電性ゴム、金属などが使用される。
【００２１】
図８は、この発明の実施の第３形態を示す放電装置の概略構成図で、図１と図７に示す第１、第２形態と同一部分には同一符号を付して示す。図８において、第３形態は、放電用ローラに代えて放電用ブラシ４１〜４３を取り付けたもので、放電用ブラシ４１〜４３の材質としては、上記ローラと同様に導電性プラスチック、導電性ゴム、金属などが使用される。
【００２２】
【発明の効果】
以上述べたように、この発明によれば、配電盤形式に組み込まれた電気二重層キャパシタの保守点検の際に、配電盤形式内に組み込んである短絡線を使用することなく、作業員が狭い盤内でも、簡単かつ安全に素早く放電させることができる利点がある。
【図面の簡単な説明】
【図１】この発明の実施の第１形態を示す放電装置の概略構成図。
【図２】第１形態に適用する電気二重層キャパシタからなる電圧ユニットの斜視図。
【図３】電圧ユニットを省略したときの導電性金具及びガイド体の斜視図。
【図４】電圧ユニットを省略したときの導電性金具及びガイド体の斜視図。
【図５】電圧ユニットを省略したときの導電性金具及びガイド体の斜視図。
【図６】電圧ユニットを省略したときの導電性金具及びガイド体の斜視図。
【図７】この発明の実施の第２形態を示す放電装置の概略構成図。
【図８】この発明の実施の第３形態を示す放電装置の概略構成図。
【図９】電気二重層キャパシタからなる電圧ユニットを配電盤形式に組み込んだときの設置例の構成説明図。
【図１０】電気二重層キャパシタからなる電圧ユニットの各端子を絶縁ケーブルで２直列３並列させたときの斜視図。
【符号の説明】
１１…放電機構体
１２、１３、１４…導電突出部
１５、１６、１７…放電用ローラ
１８、１９…放電抵抗
２０…接地線
２１…把持部
２２ａ〜２２ｆ…電気二重層キャパシタからなる電圧ユニット
２３…正極用Ｌ形の第１導電性金具
２４…負極用Ｌ形の第２導電性金具
２５ａ〜２５ｃ…平板状の第３導電性金具
２６ａ〜２６ｃ…第４導電性金具
３８…枠体
４１、４２、４３…放電用ブラシ
【図１】
0004438153.tif 000002
【図２】
0004438153.tif 000003
【図３】
0004438153.tif 000004
【図４】
0004438153.tif 000005
【図５】
0004438153.tif 000006
【図６】
0004438153.tif 000007
【図７】
0004438153.tif 000008
【図８】
0004438153.tif 000009
【図９】
0004438153.tif 000010
【図１０】
0004438153.tif 000011